(57)【特許請求の範囲】
【請求項１】
水の循環流路中に設けられる濾過装置において、濾過材として、Ｃａ（ＯＨ）2 水溶液に浸漬することにより繊維内部にカルシウムが導入されたヤシ繊維を用いたことを特徴とする循環水の濾過装置。
【請求項２】
水の循環流路中に設けられる濾過材の製造方法であって、ヤシ繊維をＣａ（ＯＨ）2 水溶液に浸漬することによりヤシ繊維の内部にカルシウムを導入することを特徴とする濾過材の製造方法。
【発明の詳細な説明】
【０００１】
【発明の属する技術分野】
この発明は、鑑賞用水槽、魚介類の養殖場、水族館などの閉鎖性水域において循環する水の濾過装置および濾過材の製造方法に関する。
【０００２】
【発明の背景】
魚介類の養殖場や水族館などの閉鎖性水域では、富栄養化原因物質に起因して生ずる藻類の異常発生が問題となっている。現在は、窒素やリンなどの栄養塩類を除去する対策がとられているが、高度処理装置の導入や凝集剤の添加など、設備の設置やその維持管理および周辺の動植物への影響に課題が残されている。同様に、鑑賞用水槽においても、短期間に藻類が発生し、飼育している魚類など水棲生物の鑑賞ができなくなり、頻繁に水を取り替えたり、清掃する必要がある。
【０００３】
【従来技術とその解決課題】
上述のような問題を解決するため、水の循環流路中に濾過材を設けたり、鑑賞用水槽内に殺菌剤や藻類の発生抑制剤を投入するなどして、藻類の発生を防止または抑制するようにしていたが、その効果は必ずしも十分ではなかった。
【０００４】
この出願の発明者らは、ヤシ繊維を用いて水質を浄化することを試みているが、このヤシ繊維が水中の富栄養化原因物質を捕捉することに着目し、藻類の発生抑制の検討を行った結果、藻類の発生時期を遅らせたり、発生量を抑制することができるといった知見を得た。
【０００５】
この発明は、上述の事柄に留意してなされたもので、その目的は、藻類の発生を効果的に抑制することができる安価な循環水の濾過装置（以下、単に濾過装置という）を提供することである。
【０００６】
【課題を解決するための手段】
上記目的を達成するため、この発明では、水の循環流路中に設けられる濾過装置において、濾過材として、Ｃａ（ＯＨ）2 水溶液に浸漬することにより繊維内部にカルシウムが導入されたヤシ繊維を用いている（請求項１）。
また、上記目的を達成するため、この発明は、水の循環流路中に設けられる濾過材の製造方法であって、ヤシ繊維をＣａ（ＯＨ）2 水溶液に浸漬することによりヤシ繊維の内部にカルシウムを導入する（請求項２）。
【０００７】
ヤシ繊維は、水中に含まれる魚類などの排泄物や餌の残滓といった富栄養化原因物質を捕捉するとともに、ヤシ繊維から溶出される一種の殺菌作用（藻類の発生抑制作用）を有する物質によって藻類の発生量が抑制され、その発生時期も遅くなる。したがって、このような特質を有するヤシ繊維を濾過材として用いた濾過装置によれば、藻類の発生を効果的に抑制することができる。また、ヤシ繊維は安価であるので、濾過装置としても安価なものが得られる。さらに、ヤシ繊維よりなる濾過材は、廃棄する場合、周辺の環境に悪影響を与えることがきわめて少ないといった利点もある。
【０００８】
そして、濾過材として用いるヤシ繊維にカルシウムを導入することにより、有機物除去能力が高められるため、藻類の発生をより一層効果的に抑制することができる。
【０００９】
【発明の実施の形態】
この発明の実施の形態を、図面を参照しながら説明する。図１〜図３は、この発明の一つの実施の形態を示す。まず、図１は、この発明の濾過装置を、鑑賞用水槽に適用した例を示し、この図において、１は適宜の素材を用いて透明に形成された水槽で、内部に水（例えば淡水）２および金魚など適宜の水棲生物３を収容できるように形成されている。４は水槽１内の水２を循環させる水路で、その一端側は水槽１の下端側側部に接続され、途中に循環用ポンプ５を備えるとともに、他端側には濾過装置６を備えており、この濾過装置６の底部には水槽１へのパイプ７が設けられている。
【００１０】
前記濾過装置６は、その内部にヤシ繊維８ａよりなる濾過材８が収容されている。この濾過材８は、例えば図２のようにして製作される。すなわち、例えば水６０Ｌを濾過する場合、約１５〜２０ｃｍの長さに裁断された２０ｇのヤシ繊維８ａを０．０２５〜０．１７％のＣａ（ＯＨ）2 水溶液９に３時間浸漬して、風乾することにより、内部にＣａ（カルシウム）１．６ｗ％が導入されたヤシ繊維８ａを集積してなる濾過材８が得られる。
【００１１】
上記濾過装置６における濾過材８の藻類発生抑止効果を確かめるため、上記構成の水槽１および濾過装置６を用いて、下記のような実験を行った。すなわち、
（１）濾過材として、Ｃａを１．６ｗ％導入したヤシ繊維８ａを２０ｇ集積したものを用いる、
（２）濾過材として、Ｃａを導入しないヤシ繊維８ａを２０ｇ集積したものを用いる、
（３）濾過材として、市販のポリプロピレン繊維を２０ｇ集積したものを用いる（ブランク）、
（４）濾過材を用いず、市販の藻類発生抑制剤（例えばテトラ社製テトラアルジミン（商品名）３０ｍＬを水槽１内の水２に添加する、
である。
そして、前記（１）〜（４）のいずれにおいても、水槽１内に１０匹の金魚３を収容し、水温を２５℃に保持しながら、藻類の発生までの日数を測定したところ、図３に示すような結果が得られた。
【００１２】
図３は、横軸に実験開始からの日数をとり、縦軸に藻類の繁殖量を表したものである。ここで、藻類の繁殖量は、水槽１中の水２を７５０ｎｍの波長における吸光度（ａｂｓ）で表している。これは、前記波長の吸光度と水槽１中の藻類の濃度（増殖量）が比例関係にあるためである。また、図中の符号▲，○，●，△は、それぞれ、前記（１）〜（４）に示した実験内容に対応するものである。
【００１３】
前記図３から次のことがわかる。すなわち、市販のポリプロピレン繊維を２０ｇ集積した市販の濾過材（ブランク）の場合には、実験８日目から藻類が急激に増殖している。また、ヤシ繊維８ａを用いた（Ｃａ未導入ヤシ繊維）場合および市販の藻類発生抑制剤を用いた場合、実験１６日目から藻類の増殖が見られるが、前記ブランクの場合に比べて藻類の増殖速度が遅い。そして、前記Ｃａ未導入ヤシ繊維を用いた場合、市販の藻類発生抑制剤を用いた場合に比べて藻類の増殖速度が遅い。さらに、Ｃａを１．６ｗ％導入したヤシ繊維（Ｃａ導入ヤシ繊維）の場合、藻類の増殖は実験２２日目まで見られなかった。
【００１４】
そして、実験３４日目における藻類の増殖量は、ブランクの場合が０．５７であるのに対して、抑制剤を用いた場合は０．２１、Ｃａ未導入ヤシ繊維を用いた場合は０．１２、Ｃａ導入ヤシ繊維を用いた場合は０．０７となっており、Ｃａ未導入ヤシ繊維を用いた場合、ブランクの場合および抑制剤を用いた場合のそれぞれ１／４．７５、１／１．７５倍に抑制され、Ｃａ導入ヤシ繊維を用いた場合には、ブランクの場合および抑制剤を用いた場合のそれぞれ１／３、１／８に抑制されている。
【００１５】
つまり、濾過材８としてヤシ繊維８ａを用いた場合、市販のポリプロピレン繊維よりなる濾過材と比べて、藻類の発生抑止効果が４．７５倍もあり、市販の抑制剤に比べても１．７５倍の効果がある。さらに、濾過材８としてＣａを導入処理した場合には、前記効果がそれぞれ８倍、３倍に増大するのである。
【００１６】
これは、ヤシ繊維８ａは、水中に含まれる魚類などの排泄物や餌の残滓といった富栄養化原因物質を捕捉するとともに、ヤシ繊維８ａから溶出される一種の殺菌作用（藻類の発生抑制作用）を有する物質によって藻類の発生量が抑制され、その発生時期も遅くなるからであると推量される。また、ヤシ繊維にＣａを導入処理した場合、有機物除去能力が高められるため、藻類の発生をより一層効果的に抑制することができるものと推量される。
【００１７】
上述の実施の形態においては、濾過装置６が鑑賞用水槽１の循環水路４中に設けられたものであったが、この発明は、これに限られるものではなく、魚介類の養殖場や水族館などの閉鎖性水域において循環する水を濾過する場合にも広く適用できることはいうまでもない。
【００１８】
【発明の効果】
以上説明したように、この発明の濾過装置は、濾過材としてヤシ繊維を用いているので、藻類の発生を効果的に抑制することができ、水槽などの清掃間隔を格段に長くすることができ、その清掃経費の低減を図ることができる。そして、藻類の発生が抑制されることにより、養殖または飼育する水棲生物の健全な生息スペースが確保することができる。
【００１９】
そして、前記ヤシ繊維にＣａを導入処理したことにより、前記藻類の発生抑制効果が一層高められる。
【図面の簡単な説明】
【図１】  この発明の循環水の濾過装置の一例を示す図である。
【図２】  前記濾過装置で用いる濾過材の製法の一例を示す図である。
【図３】  前記濾過材の効果を説明するための図である。
【符号の説明】
２…水、４…水の循環流路、６…濾過装置、８…濾過材、８ａ…ヤシ繊維。
【図１】
0003663115.tif 000002
【図２】
0003663115.tif 000003
【図３】
0003663115.tif 000004